(57)【要約】【課題】太陽電池モジュールの撤去後の雨漏りを抑制することができる遮光システム、遮光金具および遮光システムの施工方法を得ること。【解決手段】遮光システム２００は、棟から軒に向かって下り傾斜となる傾斜屋根３００の上に取り付けられ太陽電池モジュールを固定可能な屋根取付金具１と、屋根取付金具１を傾斜屋根３００に固定するねじ７と、遮光金具１０とを備える。遮光金具１０は、屋根取付金具１に取り付けられる取付部１０ａと、ねじ７を覆う庇部１０ｂとを有する。【選択図】図６
2020094409.tif 000002
【特許請求の範囲】
【請求項１】
棟から軒に向かって下り傾斜となる傾斜屋根の上に取り付けられ、太陽電池モジュールを固定可能な屋根取付金具と、
前記屋根取付金具を前記傾斜屋根に固定する固定部材と、
前記屋根取付金具に取り付けられる取付部と、前記固定部材を覆う庇部とを有する遮光金具と、を備えることを特徴とする遮光システム。
【請求項２】
前記遮光金具は、上下方向に延びる縦壁部を有し、
前記縦壁部は、前記屋根取付金具、前記取付部および前記庇部よりも上方に突出していることを特徴とする請求項１に記載の遮光システム。
【請求項３】
前記縦壁部のうち棟側を向く面は、前記傾斜屋根と垂直であることを特徴とする請求項２に記載の遮光システム。
【請求項４】
前記庇部は、前記固定部材の上方に隙間を空けて配置されることを特徴とする請求項１から請求項３のいずれか１項に記載の遮光システム。
【請求項５】
前記屋根取付金具は、前記固定部材で前記傾斜屋根に固定される屋根取付底壁部を有し、
前記取付部は、傾斜方向に沿って延びており、
前記庇部は、前記取付部の下方に隙間を空けて配置され、
前記縦壁部は、前記取付部の傾斜方向に沿った軒側の端部と前記庇部の傾斜方向に沿った軒側の端部とを連結し、
前記縦壁部の下端は、前記取付部および前記庇部よりも下方に配置され、前記屋根取付底壁部よりも上方に配置されることを特徴とする請求項２に記載の遮光システム。
【請求項６】
前記庇部は、前記縦壁部の下端から軒側に向かって延びており、
前記遮光金具は、前記縦壁部の上端と前記庇部の傾斜方向に沿った軒側の端部とを連結する傾斜壁部をさらに有し、
前記遮光金具を傾斜方向と直交する桁方向から見たときに、前記縦壁部と前記庇部と前記傾斜壁部とで成す形状は三角枠形状であることを特徴とする請求項２に記載の遮光システム。
【請求項７】
前記取付部は、前記縦壁部の棟側を向く面から棟側に向かって延びており、
前記庇部は、前記取付部の傾斜方向に沿った棟側の端部から棟側に向かって延びており、
前記遮光金具は、前記庇部の傾斜方向に沿った棟側の端部から前記傾斜屋根に向かって延びて前記屋根取付金具を棟側から覆う雨避け部をさらに有することを特徴とする請求項２に記載の遮光システム。
【請求項８】
前記庇部のうち傾斜方向に沿った軒側の端部から前記固定部材までの傾斜方向に沿った長さをａとし、前記庇部の下面から前記固定部材の上端までの距離をｂとし、屋根勾配をＳとしたときに、ａ×ｔａｎＳ÷ｂ≧１の式が成立することを特徴とする請求項１から請求項７のいずれか１項に記載の遮光システム。
【請求項９】
棟から軒に向かって下り傾斜となる傾斜屋根の上に固定部材で取り付けられる屋根取付金具に固定可能な遮光金具であって、
前記屋根取付金具に取り付けられる取付部と、
前記固定部材を覆う庇部と、を有することを特徴とする遮光金具。
【請求項１０】
前記取付部は、傾斜方向に沿って延びており、
前記庇部は、前記取付部の下方に隙間を空けて配置され、
前記取付部の傾斜方向に沿った軒側の端部と前記庇部の傾斜方向に沿った軒側の端部とを連結する連結部をさらに有することを特徴とする請求項９に記載の遮光金具。
【請求項１１】
前記取付部は、傾斜方向に沿って延びており、
前記取付部の傾斜方向に沿った棟側の端部から前記傾斜屋根に向かって延びる第１連結部と、前記取付部の傾斜方向に沿った軒側の端部から前記傾斜屋根に向かって延びる第２連結部と、をさらに有し、
前記庇部は、前記第１連結部の下端から棟側に向かって延びる第１庇部と、前記第２連結部の下端から軒側に向かって延びる第２庇部と、を有することを特徴とする請求項９に記載の遮光金具。
【請求項１２】
前記取付部は、傾斜方向に沿って延びており、
前記庇部は、前記取付部の傾斜方向に沿った棟側の端部から棟側に向かって延びており、
前記庇部の傾斜方向に沿った棟側の端部から前記傾斜屋根に向かって延びて前記屋根取付金具の傾斜方向に沿った棟側の端部を覆う雨避け部をさらに有することを特徴とする請求項９に記載の遮光金具。
【請求項１３】
棟から軒に向かって下り傾斜となる傾斜屋根の上に固定部材で固定された屋根取付金具から太陽電池モジュールを取り外す太陽電池モジュール取外工程と、
前記太陽電池モジュールが取り外された前記屋根取付金具に、取付部と庇部とを有する遮光金具を固定する遮光金具固定工程と、を備え、
前記遮光金具固定工程では、前記取付部を前記屋根取付金具に取り付けるとともに、前記庇部で前記固定部材を覆うことを特徴とする遮光システムの施工方法。
【発明の詳細な説明】
【技術分野】
【０００１】
本発明は、庇部を備える遮光システム、遮光金具および遮光システムの施工方法に関する。
【背景技術】
【０００２】
建物の屋根の上に太陽電池モジュールを設置する場合には、屋根の上に固定した屋根取付金具に太陽電池モジュールが取り付けられるのが一般的である。また、屋根取付金具は、ねじで屋根に固定されることが一般的である。例えば、特許文献１には、ねじを屋根の防水層に貫通させて屋根下地材まで打ち込むことで屋根取付金具を屋根に固定する方法が開示されている。特許文献１の固定方法では、ねじが防水層を貫通するため、防水層の漏水対策が必要となる。
【０００３】
防水層の漏水対策には、ねじの頭部に防水パッキン付ワッシャーを取り付けたり、ねじの頭部にコーキング材を設けたりすることが一般的に行われている。なお、太陽電池モジュールを屋根取付金具に取り付けた状態では、屋根取付金具の直上に太陽電池モジュールが存在するため、防水パッキン付ワッシャーおよびコーキング材に直射日光および雨水が直接当たることはない。
【０００４】
ところで、太陽電池モジュールの経年劣化、故障等により太陽電池モジュールを屋根から撤去する場合がある。この場合、ねじを抜き取って屋根取付金具も一緒に撤去すると、ねじの貫通によって防水層に開いた孔から建物内に雨水が浸入して、雨漏りが発生するおそれがある。雨漏りを抑制する方法としては、屋根の上に屋根取付金具を残し、防水層に開いた孔をねじで塞いだままにしておく方法が考えられる。
【先行技術文献】
【特許文献】
【０００５】
【特許文献１】特開２０１３−１７７７３６号公報
【発明の概要】
【発明が解決しようとする課題】
【０００６】
しかしながら、太陽電池モジュールの撤去後に屋根の上に屋根取付金具を残したままにすると、屋根取付金具の直上に太陽電池モジュールがないため、防水パッキン付ワッシャーおよびコーキング材に直射日光が当たりやすくなる。その結果、防水パッキン付ワッシャーおよびコーキング材が劣化して割れたり剥がれたりするため、防水機能が低下するおそれがある。
【０００７】
また、太陽電池モジュールの撤去後は、屋根取付金具に直接雨水が当たるため、防水パッキン付ワッシャーおよびコーキング材の防水機能が低下していると、雨漏りが発生するという問題がある。
【０００８】
本発明は、上記に鑑みてなされたものであって、太陽電池モジュールの撤去後の雨漏りを抑制することができる遮光システムを得ることを目的とする。
【課題を解決するための手段】
【０００９】
上述した課題を解決し、目的を達成するために、本発明に係る遮光システムは、棟から軒に向かって下り傾斜となる傾斜屋根の上に取り付けられ、太陽電池モジュールを固定可能な屋根取付金具と、前記屋根取付金具を前記傾斜屋根に固定する固定部材と、遮光金具とを備える。遮光金具は、前記屋根取付金具に取り付けられる取付部と、前記固定部材を覆う庇部とを有する。
【発明の効果】
【００１０】
本発明によれば、太陽電池モジュールの撤去後の雨漏りを抑制することができるという効果を奏する。
【図面の簡単な説明】
【００１１】
【図１】本発明の実施の形態１に係る太陽光発電システムを示す斜視図
【図２】実施の形態１に係る屋根取付金具およびファスナーを示す斜視図
【図３】実施の形態１に係る太陽光発電システムを示す側面図
【図４】実施の形態１に係る遮光システムを示す図であって、屋根取付金具およびファスナーに遮光金具を取り付けた状態を示す斜視図
【図５】実施の形態１に係る遮光金具を示す斜視図
【図６】図４のＶＩ−ＶＩ線断面図
【図７】実施の形態１に係る遮光システムの施工方法を示す工程図
【図８】本発明の実施の形態２に係る太陽光発電システムを示す斜視図
【図９】実施の形態２に係る屋根取付金具を示す斜視図
【図１０】実施の形態２に係る太陽光発電システムを示す側面図
【図１１】実施の形態２に係る縦桟およびファスナーを示す斜視図
【図１２】実施の形態２に係る遮光システムを示す図であって、屋根取付金具に遮光金具を取り付けた状態を示す斜視図
【図１３】実施の形態２に係る遮光金具を示す斜視図
【図１４】図１２のＸＩＶ−ＸＩＶ線断面図
【図１５】本発明の実施の形態３に係る遮光システムを示す図であって、屋根取付金具およびファスナーに遮光金具を取り付けた状態を示す斜視図
【図１６】実施の形態３に係る遮光金具を示す斜視図
【図１７】図１５のＸＶＩＩ−ＸＶＩＩ線断面図
【発明を実施するための形態】
【００１２】
以下に、本発明の実施の形態に係る遮光システム、遮光金具および遮光システムの施工方法を図面に基づいて詳細に説明する。なお、この実施の形態によりこの発明が限定されるものではない。
【００１３】
実施の形態１．
本実施の形態では、太陽電池モジュールの撤去後に、屋根取付金具に遮光金具を取り付けることによって雨漏りを抑制する。はじめに、太陽電池モジュールを撤去する前の太陽光発電システムについて説明する。
【００１４】
図１は、本発明の実施の形態１に係る太陽光発電システムを示す斜視図である。図１では、紙面右上を棟側とし、紙面左下を軒側とする。太陽光発電システム１００は、棟から軒に向かって下り傾斜となる傾斜屋根３００の上に設置された太陽電池モジュール３で、太陽発電を行うためのシステムである。太陽光発電システム１００は、屋根取付金具１と、ファスナー２と、太陽電池モジュール３と、モジュール固定金具４と、軒カバー５と、棟カバー６と、を備える。なお、図示は省略するが、傾斜屋根３００は、上側から順番に、屋根材、防水層、屋根下地材などが重ねられて形成されている。図面には、説明の便宜上、傾斜屋根３００を単一部材で示している。本実施の形態では傾斜屋根３００の屋根材がスレート屋根材である場合を例示するが、傾斜屋根３００の屋根材の種類を限定する趣旨ではない。以下の説明において、傾斜屋根３００の傾斜方向を「傾斜方向」と称し、太陽電池モジュール３が設置される設置面内で傾斜方向と直交する方向を「桁方向」と称する。また、傾斜屋根３００の屋根面と垂直な方向であって屋根面から離れる方向を上方、その逆を下方とする。また、屋根取付金具１の説明における上下も、傾斜屋根３００に取り付けた状態での上下とする。
【００１５】
屋根取付金具１は、傾斜屋根３００の上に取り付けられ、太陽電池モジュール３を固定可能な部材である。屋根取付金具１は、傾斜方向に沿って延びている。屋根取付金具１は、傾斜方向および桁方向に間隔を空けて複数設けられている。図２は、実施の形態１に係る屋根取付金具およびファスナーを示す斜視図である。図２に示すように、屋根取付金具１は、上側が開口する溝型鋼である。屋根取付金具１は、屋根取付底壁部１ａと、２つの屋根取付側壁部１ｂと、２つの屋根取付上壁部１ｃと、２つの屋根取付突条部１ｄと、を有する。
【００１６】
図３は、実施の形態１に係る太陽光発電システムを示す側面図である。屋根取付底壁部１ａは、ねじ７で傾斜屋根３００に固定される板状部位である。屋根取付底壁部１ａは、傾斜方向に沿って延びている。屋根取付底壁部１ａは、傾斜屋根３００の上に配置されている。屋根取付底壁部１ａには、上下方向に貫通する孔１ｅが形成されている。孔１ｅには、屋根取付金具１を傾斜屋根３００に固定するねじ７が挿入されている。固定部材であるねじ７は、例えば、木ねじである。ねじ７は、傾斜屋根３００に差し込まれており、傾斜屋根３００の防水層を貫通している。ねじ７は、太陽電池モジュール３に作用する風圧荷重に耐えられる固定強度を得られるように、屋根下地材に打ち込むことが望ましい。これにより、太陽電池モジュール３の撤去後に後述する遮光金具を屋根取付金具１に問題なく取り付けることができる。屋根下地材は、例えば、垂木、野地板などである。ねじ７の頭部は、コーキング材８によって覆われている。屋根取付底壁部１ａの下面には、ブチルシート１ｆが貼り付けられている。これにより、屋根取付底壁部１ａと傾斜屋根３００との間を液密にシールし、傾斜屋根３００の上を流下する雨水がねじ７の貫通によって傾斜屋根３００に開いた孔に浸入するのを抑制することができる。
【００１７】
図２に示すように、２つの屋根取付側壁部１ｂは、屋根取付底壁部１ａの桁方向に沿った両端部から垂直に立ち上がる板状部位である。２つの屋根取付側壁部１ｂは、桁方向に間隔を空けて対向している。以下の説明において一の屋根取付側壁部１ｂから他の屋根取付側壁部１ｂへ向かう方向を内側と称する場合がある。また、屋根取付側壁部１ｂのうち内側に位置する面を内面と称する場合がある。
【００１８】
屋根取付上壁部１ｃは、屋根取付側壁部１ｂの上端部から内側へ突出する部位である。屋根取付上壁部１ｃは、屋根取付底壁部１ａと平行である。２つの屋根取付上壁部１ｃの間には、隙間が設けられている。屋根取付上壁部１ｃの傾斜方向に沿った軒側の端部には、下向きに折れ曲がる屋根取付切欠片１ｇが形成されている。屋根取付切欠片１ｇは、屋根取付上壁部１ｃに桁方向に間隔を空けて２本の切れ込みを入れて、切れ込みの間を下向きに押圧して折り曲げることで形成されている。屋根取付切欠片１ｇは、屋根取付金具１からのファスナー２の脱落を防止する役割を果たす。詳しくは、屋根取付金具１内に差し込んだファスナー２が軒側に向かって滑り落ちたときに、屋根取付切欠片１ｇがファスナー２と当接することで、屋根取付金具１からのファスナー２の脱落を防止することができる。
【００１９】
屋根取付突条部１ｄは、屋根取付側壁部１ｂの内面のうち屋根取付上壁部１ｃよりも下方となる部位から内側へ突出した後、さらに上側へ突出するＬ字状の部位である。２つの屋根取付突条部１ｄの間には、隙間が設けられている。屋根取付突条部１ｄと屋根取付上壁部１ｃとの間には、隙間が設けられている。屋根取付突条部１ｄは、ファスナー２を傾斜方向に沿って移動可能に支持する。
【００２０】
ファスナー２は、屋根取付金具１内に差し込まれる金属製部材である。ファスナー２は、ファスナー横壁部２ａと、２つの差込部２ｂと、を有する。
【００２１】
ファスナー横壁部２ａは、傾斜方向に沿って延びる板状部位である。ファスナー横壁部２ａのうち桁方向に沿った中央部には、他の部位よりも板厚が厚い肉厚部２ｃが形成されている。肉厚部２ｃには、上下方向に貫通する孔２ｄが形成されている。図示は省略するが、ファスナー２が屋根取付上壁部１ｃと屋根取付突条部１ｄとの間に差し込まれた状態で、肉厚部２ｃは、２つの屋根取付上壁部１ｃの間の隙間に配置される。
【００２２】
２つの差込部２ｂは、ファスナー横壁部２ａの桁方向に沿った両端部から垂直に垂れ下がる板状部位である。２つのファスナー横壁部２ａは、桁方向に間隔を空けて対向している。図示は省略するが、差込部２ｂは、屋根取付上壁部１ｃと屋根取付突条部１ｄとの間に配置される。ファスナー２の桁方向に沿った幅は、２つの屋根取付側壁部１ｂ同士の距離よりも小さく、２つの屋根取付上壁部１ｃ同士の距離および２つの屋根取付突条部１ｄ同士の距離よりも大きい。
【００２３】
図１に示すように、太陽電池モジュール３は、傾斜方向および桁方向に並んで複数枚設置されている。太陽電池モジュール３は、図１の例では傾斜方向に２枚×桁方向に２枚の合計４枚設置されている。太陽電池モジュール３の大きさ、傾斜方向の枚数および桁方向の枚数は、傾斜屋根３００の形状および面積に合わせて適宜変更すればよい。太陽電池モジュール３は、太陽電池パネル３ａと、太陽電池パネル３ａの外縁を保持する保持フレーム３ｂと、を有する。
【００２４】
太陽電池パネル３ａは、平面視矩形の板状部材である。太陽電池パネル３ａは、長手方向を桁方向に向けて設置されている。図示は省略するが、太陽電池パネル３ａは、アレイ状に配列された複数の太陽電池セルを備える。太陽電池セルは、太陽光を電力に変換する光電変換部である。複数の太陽電池セルは、直列または並列に接続されている。図示は省略するが、太陽電池セルの受光面の上には、透明基板であるガラスが配置されている。図示は省略するが、太陽電池パネル３ａは、エチレンビニルアセテート（Ethylene−Vinyl  Acetate，ＥＶＡ）樹脂またはポリエチレンテレフタレート（Polyethylene  Terephthalate，ＰＥＴ）樹脂などの電気的絶縁材料で複数の太陽電池セルを封止して形成されている。
【００２５】
保持フレーム３ｂは、太陽電池パネル３ａの外縁の全周に亘って取り付けられた金属製部材である。保持フレーム３ｂは、太陽電池パネル３ａの外形に適合する四角枠状に形成されている。図３に示すように、保持フレーム３ｂは、屋根取付上壁部１ｃの上に配置されている。
【００２６】
モジュール固定金具４は、屋根取付金具１の上に配置され、太陽電池モジュール３、軒カバー５および棟カバー６を屋根取付金具１に固定するための部材である。つまり、太陽電池モジュール３、軒カバー５および棟カバー６は、モジュール固定金具４および屋根取付金具１を介して傾斜屋根３００に固定されている。モジュール固定金具４は、傾斜方向に隣り合う太陽電池モジュール３同士の間、太陽電池モジュール３と軒カバー５との間、太陽電池モジュール３と棟カバー６との間に設置されている。モジュール固定金具４は、桁方向に沿って延びている。モジュール固定金具４は、上方から見た場合に屋根取付金具１と交差している。モジュール固定金具４は、上側が開口する溝型鋼である。モジュール固定金具４は、モジュール底壁部４ａと、２つのモジュール側壁部４ｂと、２つの押え部４ｃと、を有する。
【００２７】
モジュール底壁部４ａは、桁方向に沿って延びる板状部位である。モジュール底壁部４ａは、屋根取付上壁部１ｃおよび肉厚部２ｃの上に配置されている。モジュール底壁部４ａは、ボルト９でファスナー横壁部２ａに固定されている。本実施の形態ではモジュール固定金具４とファスナー２とをボルト９で固定することで、モジュール固定金具４は屋根取付金具１に固定されている。つまり、モジュール固定金具４は、ファスナー２を介して屋根取付金具１に固定されている。
【００２８】
２つのモジュール側壁部４ｂは、モジュール底壁部４ａの傾斜方向に沿った両端部から太陽電池モジュール３、軒カバー５または棟カバー６に沿って垂直に立ち上がる板状部位である。２つのモジュール側壁部４ｂは、傾斜方向に間隔を空けて対向している。
【００２９】
押え部４ｃは、モジュール側壁部４ｂの上端部から太陽電池モジュール３、軒カバー５または棟カバー６に向かって突出する部位である。押え部４ｃは、保持フレーム３ｂ、軒カバー５または棟カバー６を上方から押えつけている。太陽電池モジュール３、軒カバー５および棟カバー６は、押え部４ｃと屋根取付上壁部１ｃとの間に挟み込まれている。モジュール底壁部４ａの下面から押え部４ｃの下面までの高さは、保持フレーム３ｂの高さよりも数ｍｍ程度低く設定されることが好ましい。このように設定すると、ボルト９を締結した状態で太陽電池モジュール３を押え部４ｃで確実に押えつけることができる。
【００３０】
図１に示すように、軒カバー５は、最も軒側に位置する太陽電池モジュール３の外周縁のうち軒側の外縁を覆う化粧材である。軒カバー５の桁方向に沿った長さは、太陽電池モジュール３の桁方向に沿った長さと同一である。軒カバー５は、桁方向に沿って間隔を空けて設けた２つの屋根取付金具１の上に架け渡されている。
【００３１】
図３に示すように、軒カバー５は、押え部４ｃと屋根取付金具１との間に挟み込まれる軒カバー本体部５ａと、軒カバー本体部５ａよりも下方に延びて屋根取付金具１を覆う斜壁部５ｂと、を有する。軒カバー本体部５ａは、軒カバー底壁部５ｃと、軒カバー側壁部５ｄと、軒カバー上壁部５ｅと、軒カバー連結部５ｆと、を有する。
【００３２】
軒カバー底壁部５ｃは、桁方向に沿って延びる板状部位である。軒カバー底壁部５ｃは、屋根取付上壁部１ｃの上に配置されている。軒カバー底壁部５ｃは、屋根取付金具１の傾斜方向に沿った軒側の端部よりも軒側に張り出している。
【００３３】
軒カバー側壁部５ｄは、軒カバー底壁部５ｃの傾斜方向に沿った棟側の端部からモジュール側壁部４ｂに沿って垂直に立ち上がる板状部位である。軒カバー側壁部５ｄは、モジュール側壁部４ｂと面接触している。
【００３４】
軒カバー上壁部５ｅは、軒カバー側壁部５ｄの上端部から軒側へ突出する部位である。軒カバー上壁部５ｅの傾斜方向に沿った寸法は、軒カバー底壁部５ｃの傾斜方向に沿った寸法よりも小さい。軒カバー底壁部５ｃの傾斜方向に沿った軒側の端部は、軒カバー上壁部５ｅの傾斜方向に沿った軒側の端部よりも軒側に位置している。軒カバー上壁部５ｅは、押え部４ｃと面接触している。モジュール底壁部４ａの下面から押え部４ｃの下面までの高さは、軒カバー底壁部５ｃの下面から軒カバー上壁部５ｅの上面までの高さよりも数ｍｍ程度低く設定されることが好ましい。このように設定すると、ボルト９を締結した状態で軒カバー５を押え部４ｃで確実に押えつけることができる。
【００３５】
軒カバー連結部５ｆは、軒カバー底壁部５ｃの傾斜方向に沿った軒側の端部と軒カバー上壁部５ｅの傾斜方向に沿った軒側の端部とを連結する部位である。軒カバー連結部５ｆは、軒カバー上壁部５ｅから軒カバー底壁部５ｃに向かうほど軒側に位置するように傾斜している。
【００３６】
斜壁部５ｂは、屋根取付金具１の傾斜方向に沿った軒側の端部を隠す部位である。斜壁部５ｂは、軒カバー連結部５ｆと軒カバー底壁部５ｃとの境界から斜め下方に延びている。斜壁部５ｂは、下方に向かうほど軒側に位置するように傾斜している。斜壁部５ｂは、軒カバー連結部５ｆの延長線上に位置している。
【００３７】
図１に示すように、棟カバー６は、最も棟側に位置する太陽電池モジュール３の外周縁のうち棟側の外縁を覆う化粧材である。棟カバー６の桁方向に沿った長さは、太陽電池モジュール３の棟方向に沿った長さと同一である。棟カバー６は、桁方向に沿って間隔を空けて設けた２つの屋根取付金具１の上に架け渡されている。図３に示すように、棟カバー６は、押え部４ｃと屋根取付金具１との間に挟み込まれている。棟カバー６は、棟カバー底壁部６ａと、棟カバー側壁部６ｂと、棟カバー上壁部６ｃと、棟カバー連結部６ｄと、を有する。
【００３８】
棟カバー底壁部６ａは、桁方向に沿って延びる板状部位である。棟カバー底壁部６ａは、屋根取付上壁部１ｃの上に配置されている。
【００３９】
棟カバー側壁部６ｂは、棟カバー底壁部６ａの傾斜方向に沿った軒側の端部からモジュール側壁部４ｂに沿って垂直に立ち上がる板状部位である。棟カバー側壁部６ｂは、モジュール側壁部４ｂと面接触している。
【００４０】
棟カバー上壁部６ｃは、棟カバー側壁部６ｂの上端部から棟側へ突出する部位である。棟カバー上壁部６ｃの傾斜方向に沿った寸法は、棟カバー底壁部６ａの傾斜方向に沿った寸法よりも小さい。棟カバー底壁部６ａの傾斜方向に沿った棟側の端部は、棟カバー上壁部６ｃの傾斜方向に沿った棟側の端部よりも棟側に位置している。棟カバー上壁部６ｃは、押え部４ｃと面接触している。モジュール底壁部４ａの下面から押え部４ｃの下面までの高さは、棟カバー底壁部６ａの下面から棟カバー上壁部６ｃの上面までの高さよりも数ｍｍ程度低く設定されることが好ましい。このように設定すると、ボルト９を締結した状態で棟カバー６を押え部４ｃで確実に押えつけることができる。
【００４１】
棟カバー連結部６ｄは、棟カバー底壁部６ａの傾斜方向に沿った棟側の端部と棟カバー上壁部６ｃの傾斜方向に沿った棟側の端部とを連結する部位である。棟カバー連結部６ｄは、棟カバー上壁部６ｃから棟カバー底壁部６ａに向かうほど棟側に位置するように傾斜している。
【００４２】
次に、太陽光発電システム１００の施工方法について説明する。
【００４３】
まず、図１に示す太陽電池モジュール３の設置位置を確認し、傾斜屋根３００の屋根面に墨出しを行い、屋根取付金具１の取付位置を決定する。その後、傾斜屋根３００のうち屋根取付金具１を固定するねじ７を打ち込む位置に予め下孔を開ける。下孔には、ゴムアスファルト系、シリコーン系などのコーキング材を注入する。続いて、図３に示すように、屋根取付金具１を傾斜屋根３００の上に配置し、ねじ７を屋根取付金具１の孔１ｅに挿入して傾斜屋根３００の下孔に打ち込む。ねじ７は、垂木などの屋根下地材に達するまで打ち込む。その後、屋根取付金具１の周辺およびねじ７の頭部にコーキング材８を充填する。
【００４４】
次に、図２に示すファスナー２の差込部２ｂを屋根取付上壁部１ｃと屋根取付突条部１ｄとの間に差し込み、ファスナー２を屋根取付金具１内に挿入する。その後、図３に示すように、ファスナー横壁部２ａおよび屋根取付上壁部１ｃの上にモジュール固定金具４を配置し、モジュール固定金具４とファスナー２とをボルト９で仮固定する。これにより、屋根取付金具１とファスナー２とモジュール固定金具４とが一体化される。仮固定状態では、ファスナー２が移動可能な程度に、ファスナー２とモジュール固定金具４との間に屋根取付上壁部１ｃが軽く挟み込まれる。つまり、ファスナー２およびモジュール固定金具４は、傾斜方向に自由に移動可能な状態で屋根取付金具１と一体化される。このとき、ファスナー２およびモジュール固定金具４が自重で軒側に滑り落ちたとしても、図２に示す屋根取付金具１の屋根取付切欠片１ｇがファスナー２と当接することで、屋根取付金具１からのファスナー２およびモジュール固定金具４の脱落を防止することができる。なお、ファスナー２とモジュール固定金具４をボルト９で仮固定した後に、ファスナー２を屋根取付金具１に挿入してもよい。
【００４５】
次に、図３に示すモジュール固定金具４の傾斜方向に沿った位置を適宜調節しつつ、屋根取付金具１の上に、軒カバー５、軒側の太陽電池モジュール３、棟側の太陽電池モジュール３、棟カバー６を軒側から順次設置する。軒カバー５、太陽電池モジュール３および棟カバー６をモジュール固定金具４に密着させた状態で、ボルト９を本締めすることにより、軒カバー５、太陽電池モジュール３および棟カバー６が屋根取付金具１の上に本固定される。詳しくは、軒カバー５、太陽電池モジュール３および棟カバー６が押え部４ｃと屋根取付上壁部１ｃとの間に挟み込まれて固定される。また、屋根取付上壁部１ｃがファスナー２とモジュール固定金具４との間に強く挟み込まれて、ファスナー２およびモジュール固定金具４の移動が規制される。以上により太陽光発電システム１００が構築される。
【００４６】
次に、遮光システム２００について説明する。
【００４７】
図４は、実施の形態１に係る遮光システムを示す図であって、屋根取付金具およびファスナーに遮光金具を取り付けた状態を示す斜視図である。遮光システム２００は、太陽電池モジュール３の撤去後に傾斜屋根３００の上に残された屋根取付金具１を遮光するためのシステムである。遮光システム２００は、屋根取付金具１と、ファスナー２と、遮光金具１０と、を備える。屋根取付金具１およびファスナー２は、太陽光発電システム１００と遮光システム２００とで共用される。遮光金具１０は、傾斜屋根３００の上に取り付けられる屋根取付金具１に固定可能な部材である。
【００４８】
遮光金具１０は、屋根取付金具１に取り付けられる取付部１０ａと、庇部１０ｂと、縦壁部１０ｃと、を備える。
【００４９】
図５は、実施の形態１に係る遮光金具を示す斜視図である。図５では、説明容易化のために傾斜屋根３００を示している。取付部１０ａは、傾斜方向に沿って延びる板状の部位である。取付部１０ａは、平面視矩形状に形成されている。取付部１０ａには、上下方向に貫通する孔１０ｇが形成されている。
【００５０】
庇部１０ｂは、傾斜方向に沿って延びる板状の部位である。庇部１０ｂは、平面視矩形状に形成されている。庇部１０ｂは、取付部１０ａの下方に隙間を空けて配置されている。庇部１０ｂの傾斜方向に沿った長さは、取付部１０ａの傾斜方向に沿った長さよりも大きい。庇部１０ｂは、取付部１０ａよりも棟側に延びている。
【００５１】
縦壁部１０ｃは、取付部１０ａの傾斜方向に沿った軒側の端部と庇部１０ｂの傾斜方向に沿った軒側の端部とを連結し、上下方向に沿って延びる板状の部位である。縦壁部１０ｃの傾斜方向から見たときの形状は、矩形状である。縦壁部１０ｃの面内方向は、傾斜方向と一致している。縦壁部１０ｃは、連続する１つの壁であるが、実施の形態１では機能面から縦壁部１０ｃを連結部１０ｄ、雪止め部１０ｅ、意匠部１０ｆに分けて説明する。なお、連結部１０ｄ、雪止め部１０ｅおよび意匠部１０ｆにおいて、最も上側に位置する端部を「上端」と称するとともに最も下側に位置する端部を「下端」と称する。
【００５２】
連結部１０ｄは、取付部１０ａの傾斜方向に沿った軒側の端部と庇部１０ｂの傾斜方向に沿った軒側の端部とを連結する部位である。雪止め部１０ｅは、連結部１０ｄの上端から上方に向かって延びて、取付部１０ａよりも上方に突出する部位である。雪止め部１０ｅは、傾斜屋根３００の上に堆積した雪が滑り落ちるのを防ぐ役割を果たす。意匠部１０ｆは、連結部１０ｄの下端から下方に向かって延びて、庇部１０ｂよりも下方に突出する部位である。
【００５３】
図４に示すように、遮光金具１０は、屋根取付金具１の傾斜方向に沿った軒側の端部に設置されている。取付部１０ａは、２つの屋根取付上壁部１ｃの上に架け渡されている。図６は、図４のＶＩ−ＶＩ線断面図である。取付部１０ａの孔１０ｇおよびファスナー横壁部２ａの孔２ｄには、遮光金具１０をファスナー２に固定するボルト９が挿入されている。本実施の形態では遮光金具１０の孔１０ｇに通したボルト９をファスナー２の孔２ｄにねじ込むことで、遮光金具１０は屋根取付金具１に固定されている。つまり、遮光金具１０は、ファスナー２を介して屋根取付金具１に固定されている。なお、雨水が直接当たりやすい屋根取付金具１、遮光金具１０およびボルト９には、メッキ、錆止め塗装などの表面処理を施すか、または、耐食性に優れたアルミニウム、ステンレスなどを用いるのが好ましい。
【００５４】
庇部１０ｂは、屋根取付突条部１ｄと屋根取付底壁部１ａとの間に挿入されている。庇部１０ｂは、傾斜方向に間隔を空けて設けた複数のねじ７を覆っている。庇部１０ｂは、ねじ７の頭部に設けたコーキング材８の上方に隙間を空けて配置されている。庇部１０ｂは、コーキング材８に直射日光および雨水が直接当たるのを抑制する役割を果たす。
【００５５】
縦壁部１０ｃは、屋根取付金具１よりも軒側に配置されており、屋根取付金具１の傾斜方向に沿った軒側の端部を覆っている。縦壁部１０ｃは、傾斜屋根３００と垂直である。雪止め部１０ｅは、屋根取付上壁部１ｃよりも上方に突出している。なお、縦壁部１０ｃの雪止め部１０ｅのうち棟側を向く面が少なくとも傾斜屋根３００と垂直であればよい。
【００５６】
意匠部１０ｆは、屋根取付金具１の傾斜方向に沿った軒側の端部の開口のうち庇部１０ｂよりも下側部位を覆っている。意匠部１０ｆの下端は、取付部１０ａおよび庇部１０ｂよりも下方に配置され、屋根取付底壁部１ａよりも上方に配置されている。意匠部１０ｆの下端と屋根取付底壁部１ａの上面との上下方向に沿った距離Ｄは、適宜設定すればよいが、例えば３ｍｍに設定することが好ましい。意匠部１０ｆの下端と屋根取付底壁部１ａの上面との上下方向に沿った距離Ｄが３ｍｍ未満であると、屋根取付底壁部１ａの上面に沿って流下する雨水が屋根取付金具１から円滑に排水されないおそれがある。一方、意匠部１０ｆの下端と屋根取付底壁部１ａの上面との上下方向に沿った距離Ｄが３ｍｍを超えると、屋根取付金具１の露出範囲が増えて建物の意匠性が損なわれるおそれがある。なお、意匠部１０ｆのうち棟側を向く面と屋根取付底壁部１ａのうち軒側を向く面との傾斜方向に沿った距離Ｅも、屋根取付金具１からの雨水の排水に影響を与えるため、適宜調整する必要がある。
【００５７】
次に、遮光システム２００の施工方法について説明する。
【００５８】
図７は、実施の形態１に係る遮光システムの施工方法を示す工程図である。遮光システム２００の施工方法は、太陽電池モジュール取外工程と、遮光金具固定工程と、を備える。太陽電池モジュール取外工程は、図３に示す傾斜屋根３００の上にねじ７で固定された屋根取付金具１から太陽電池モジュール３を取り外す工程である。太陽電池モジュール取外工程では、ボルト９を外し、モジュール固定金具４、太陽電池モジュール３、軒カバー５、棟カバー６を傾斜屋根３００の上から撤去する。屋根取付金具１およびファスナー２は、傾斜屋根３００の上に残す。
【００５９】
図６に示すように、遮光金具固定工程は、太陽電池モジュール３が取り外された屋根取付金具１に遮光金具１０を固定する工程である。遮光金具固定工程では、取付部１０ａを屋根取付金具１に取り付けるとともに、庇部１０ｂでコーキング材８を覆う。具体的には、屋根取付上壁部１ｃの上に取付部１０ａを配置し、屋根取付突条部１ｄと屋根取付底壁部１ａとの間に庇部１０ｂを挿入する。これにより、コーキング材８が庇部１０ｂで覆われる。次に、取付部１０ａの孔１０ｇおよびファスナー横壁部２ａの孔２ｄにボルト９を挿入する。これにより、遮光金具１０は、ファスナー２を介して屋根取付金具１に固定される。以上により遮光システム２００が構築される。
【００６０】
次に、遮光システム２００および遮光金具１０の作用効果について説明する。
【００６１】
図６に示すように、実施の形態１では、太陽電池モジュール３を傾斜屋根３００から撤去した場合には、傾斜屋根３００の上に残った屋根取付金具１に遮光金具１０を取り付ける。遮光金具１０がねじ７の頭部に設けたコーキング材８を覆う庇部１０ｂを有することで、コーキング材８に直射日光が当たるのを防ぐことができるため、コーキング材８の劣化を抑制することができる。また、庇部１０ｂでコーキング材８に直接雨水が当たるのを防ぐこともできる。これにより、太陽電池モジュール３の撤去後も、ねじ７の貫通によって開いた防水層の孔からの雨漏りを抑制することができる。
【００６２】
また、傾斜屋根３００の上に屋根取付金具１を残すことで、ねじ７を外す必要がないため、ねじ７の貫通によって開いた防水層の孔をねじ７で塞いだままにできる。これにより、ねじ７の貫通によって開いた孔からの雨漏りを抑制することができる。
【００６３】
なお、傾斜屋根３００の上から太陽電池モジュール３と一緒に屋根取付金具１を撤去すると、ねじ７の貫通によって開いた防水層の孔からの雨漏りを防ぐ補修作業が必要となる。例えば、屋根材を剥がして防水層を増し張りするなどの大掛かりな補修作業が必要となるため、工事費用および工事日数が増える。この点、本実施の形態では、遮光金具１０を屋根取付金具１に取り付ける作業が必要となるものの、傾斜屋根３００の上に屋根取付金具１を残して、ねじ７の貫通によって開いた防水層の孔をねじ７で塞いだままにできるため、大掛かりな補修作業が不要となる。これにより、屋根取付金具１を撤去する場合に比べて工事費用および工事日数を削減することができる。
【００６４】
図６に示すように、庇部１０ｂがコーキング材８の上方に隙間を空けて配置されることで、庇部１０ｂとコーキング材８との接触を回避して、コーキング材８の割れ、剥がれなどを防ぐことができる。
【００６５】
図６に示すように、意匠部１０ｆの下端が屋根取付底壁部１ａよりも上方に配置されており、意匠部１０ｆの下端と屋根取付底壁部１ａの上面との上下方向に沿った距離Ｄを３ｍｍに設定することで、屋根取付底壁部１ａの上面に沿って流下する雨水を意匠部１０ｆで阻害することなく円滑に流すことができるとともに、屋根取付金具１の露出範囲を減らして建物の意匠性を向上させることができる。
【００６６】
図６に示すように、遮光金具１０は傾斜屋根３００と垂直である雪止め部１０ｅを備え、雪止め部１０ｅは傾斜屋根３００の上に堆積した雪が滑り落ちるのを防ぐ役割を果たす。これにより、遮光金具１０を雪止め金具としても利用することができる。
【００６７】
ここで、図６を参照して、庇部１０ｂ、屋根勾配および太陽高度の関係について詳しく説明する。なお、図６に示す意匠部１０ｆがない場合には、屋根取付金具１の傾斜方向に沿った軒側の端部の開口のうち庇部１０ｂよりも下方部位から屋根取付金具１の内部に直射日光が入射し、入射した直射日光がコーキング材８に当たる可能性がある。以下の説明では、意匠部１０ｆがない場合を想定する。この場合、庇部１０ｂのうち傾斜方向に沿った軒側の端部から最も軒側に位置するねじ７までの傾斜方向に沿った長さａが長いほど、ねじ７の頭部に設けたコーキング材８に直射日光が当たるのを抑制する効果が高まる。一方、庇部１０ｂの下面からねじ７の上端であるコーキング材８までの距離ｂが短いほど、ねじ７の頭部に設けたコーキング材８に直射日光が当たるのを抑制する効果が高まる。これらの関係は、屋根勾配をＳとし、太陽高度をＨとしたときに、以下の式（１）で表すことができる。
ａ×ｔａｎ（Ｓ＋Ｈ）÷ｂ≧１・・・（１）
【００６８】
ここでは、例えば、４寸勾配の傾斜屋根３００の南面に屋根取付金具１および遮光金具１０を設置し、冬至の午後２時において直射日光がコーキング材８に当たるのを防ぐ場合を想定する。４寸勾配の傾斜屋根３００の屋根勾配Ｓは、約２１．４度である。午後２時の太陽高度Ｈは、建物が設置される場所の緯度によって異なるが、例えば１３度とする。仮に、庇部１０ｂのうち傾斜方向に沿った軒側の端部から最も軒側に位置するねじ７までの傾斜方向に沿った長さａを５０ｍｍとすると、庇部１０ｂの下面からねじ７の上端であるコーキング材８までの距離ｂは、式（１）から５０ｍｍ×ｔａｎ（２１．４度＋１３度）÷ｂ≧１を満たす値、すなわち３４ｍｍ以下となる。つまり、庇部１０ｂの下面からねじ７の上端であるコーキング材８までの距離ｂが３４ｍｍ以下であれば、直射日光がコーキング材８に当たるのを防ぐことができる。
【００６９】
ちなみに、上記した式（１）より、４寸勾配の傾斜屋根３００で太陽高度Ｈが０度のときに、庇部１０ｂのうち傾斜方向に沿った軒側の端部から最も軒側に位置するねじ７までの傾斜方向に沿った長さａを５０ｍｍにした場合には、庇部１０ｂの下面からねじ７の上端であるコーキング材８までの距離ｂを１９ｍｍ以下とすれば、直射日光がコーキング材８に当たらないことになる。つまり、日の出から日の入りまでコーキング材８に直射日光が当たらない状態となる。一方、４寸勾配の傾斜屋根３００で太陽高度Ｈが０度のときに、庇部１０ｂの下面からねじ７の上端であるコーキング材８までの距離ｂを１９ｍｍにした場合には、庇部１０ｂのうち傾斜方向に沿った軒側の端部から最も軒側に位置するねじ７までの傾斜方向に沿った長さａを５０ｍｍ以上にすれば、直射日光がコーキング材８に当たらないことになる。つまり、日の出から日の入りまでコーキング材８に直射日光が当たらない状態となる。よって、ａ×ｔａｎＳ÷ｂ≧１の式（２）が成立すると、傾斜屋根３００の正面に向い合う太陽の直射日光がコーキング材８に当たるのを常時防ぐことができる。
【００７０】
なお、上記の庇部１０ｂ、屋根勾配および太陽高度の関係の説明では、意匠部１０ｆを設けないことを仮定して説明した。意匠部１０ｆを設けない場合でも、上記した式（１）を満たすようにすることで、太陽の直射日光がコーキング材８に当たるのを常時防ぐことができる。一方、実施の形態１では、意匠部１０ｆを設けており、図６に示した例では、意匠部１０ｆにより、コーキング材８に直射日光が当たらないとしている。図６に示した例では、屋根取付金具１の傾斜方向に沿った軒側の端部の開口のうち庇部１０ｂよりも下方部位を覆う意匠部１０ｆを備え、意匠部１０ｆの下端がコーキング材８の上端よりも低いため、日の出から日の入りまでコーキング材８に直射日光が当たらない状態となる。
【００７１】
実施の形態２．
実施の形態２に係る太陽光発電システム、遮光金具および遮光システムについて説明する。はじめに、実施の形態２に係る太陽光発電システムについて説明する。図８は、本発明の実施の形態２に係る太陽光発電システムを示す斜視図である。実施の形態２に係る太陽光発電システム１００Ａは、屋根取付金具１１の構成および縦桟１２を備える点が前記した実施の形態１と相違する。実施の形態２では、前記した実施の形態１と重複する部分については、同一符号を付して説明を省略する。
【００７２】
太陽光発電システム１００Ａは、屋根取付金具１１と、縦桟１２と、ファスナー２と、太陽電池モジュール３と、モジュール固定金具４と、軒カバー５と、棟カバー６と、を備える。なお、本実施の形態では傾斜屋根３００の屋根材が金属横葺き屋根材である場合を例示するが、傾斜屋根３００の屋根材の種類を限定する趣旨ではない。
【００７３】
屋根取付金具１１は、桁方向に沿って延びている。屋根取付金具１１の長手方向は、縦桟１２の長手方向と直交している。屋根取付金具１１は、傾斜方向および桁方向に間隔を空けて複数設けられている。図９は、実施の形態２に係る屋根取付金具を示す斜視図である。屋根取付金具１１は、屋根取付底壁部１１ａと、２つの屋根取付側壁部１１ｂと、２つの屋根取付上壁部１１ｃと、仕切壁部１１ｄと、を有する。
【００７４】
図１０は、実施の形態２に係る太陽光発電システムを示す側面図である。屋根取付底壁部１１ａは、ねじ１３で傾斜屋根３００に固定される板状部位である。屋根取付底壁部１１ａは、桁方向に沿って延びている。屋根取付底壁部１１ａは、傾斜屋根３００の上に配置されている。ここで、屋根取付底壁部１１ａのうち棟側に位置する屋根取付側壁部１１ｂよりも棟側に延びる部位を第１フランジ１１ｅと称する。また、屋根取付底壁部１１ａのうち軒側に位置する屋根取付側壁部１１ｂよりも軒側に延びる部位を第２フランジ１１ｆと称する。第１フランジ１１ｅおよび第２フランジ１１ｆには、上下方向に貫通する孔１１ｇが形成されている。孔１１ｇには、屋根取付金具１１を傾斜屋根３００に固定するねじ１３が挿入されている。屋根取付底壁部１１ａの下面には、ブチルシート１１ｈが貼り付けられている。これにより、屋根取付底壁部１１ａと傾斜屋根３００との間を液密にシールし、傾斜屋根３００の上を流下する雨水がねじ１３の貫通によって傾斜屋根３００に開いた孔に浸入するのを抑制することができる。
【００７５】
図９に示すように、２つの屋根取付側壁部１１ｂは、屋根取付底壁部１１ａのうち傾斜方向に沿った両端部よりも中央側となる部位から垂直に立ち上がる板状部位である。２つの屋根取付側壁部１１ｂは、傾斜方向に間隔を空けて対向している。以下の説明において一の屋根取付側壁部１１ｂから他の屋根取付側壁部１１ｂへ向かう方向を内側と称する場合がある。また、屋根取付側壁部１１ｂのうち内側に位置する面を内面と称する場合がある。
【００７６】
屋根取付上壁部１１ｃは、屋根取付側壁部１１ｂの上端部から内側へ突出する部位である。屋根取付上壁部１１ｃは、屋根取付底壁部１１ａと平行である。２つの屋根取付上壁部１１ｃの間には、隙間が設けられている。２つの屋根取付上壁部１１ｃの間の隙間には、ボルト１５の軸部が通される。
【００７７】
仕切壁部１１ｄは、２つの屋根取付側壁部１１ｂのうち屋根取付上壁部１１ｃよりも下方となる部位同士を繋ぐ部位である。仕切壁部１１ｄは、屋根取付底壁部１１ａと２つの屋根取付側壁部１１ｂと２つの屋根取付上壁部１１ｃとで形成される空間を上下に仕切っている。仕切壁部１１ｄと屋根取付上壁部１１ｃとの間には、ボルト１５の頭部が配置される。
【００７８】
図８に示すように、縦桟１２は、屋根取付金具１１の上に取り付けられる金属製部材である。縦桟１２は、傾斜方向に沿って延びている。縦桟１２は、桁方向に間隔を空けて複数設けられている。図１１は、実施の形態２に係る縦桟およびファスナーを示す斜視図である。縦桟１２は、上側が開口する溝型鋼である。縦桟１２は、縦桟底壁部１２ａと、２つの縦桟側壁部１２ｂと、２つの縦桟上壁部１２ｃと、２つの縦桟突条部１２ｄと、を有する。
【００７９】
図１０に示すように、縦桟底壁部１２ａは、ボルト１５で屋根取付金具１１に固定される板状部位である。縦桟底壁部１２ａは、傾斜方向に沿って延びている。縦桟底壁部１２ａは、屋根取付上壁部１１ｃの上に配置されている。縦桟底壁部１２ａには、上下方向に貫通する図示しない長孔が形成されている。本実施の形態では、縦桟底壁部１２ａの長孔および２つの屋根取付上壁部１１ｃの間の隙間にボルト１５を挿入し、ボルト１５にナット１６を締め付けることで、縦桟１２が屋根取付金具１１に固定されている。ボルト１５の種類は特に制限されないが、本実施の形態では根角ボルトを用いている。
【００８０】
図１１に示すように、２つの縦桟側壁部１２ｂは、縦桟底壁部１２ａの桁方向に沿った両端部から垂直に立ち上がる板状部位である。２つの縦桟側壁部１２ｂは、桁方向に間隔を空けて対向している。以下の説明において一の縦桟側壁部１２ｂから他の縦桟側壁部１２ｂへ向かう方向を内側と称する場合がある。また、縦桟側壁部１２ｂのうち内側に位置する面を内面と称する場合がある。
【００８１】
縦桟上壁部１２ｃは、縦桟側壁部１２ｂの上端部から内側へ突出する部位である。縦桟上壁部１２ｃは、縦桟底壁部１２ａと平行である。２つの縦桟上壁部１２ｃの間には、隙間が設けられている。縦桟上壁部１２ｃの傾斜方向に沿った軒側の端部には、下向きに折れ曲がる縦桟切欠片１２ｆが形成されている。縦桟切欠片１２ｆは、縦桟上壁部１２ｃに桁方向に間隔を空けて２本の切れ込みを入れて、切れ込みの間を下向きに押圧して折り曲げることで形成されている。縦桟切欠片１２ｆは、縦桟１２からのファスナー２の脱落を防止する役割を果たす。詳しくは、縦桟１２内に差し込んだファスナー２が軒側に向かって滑り落ちたときに、縦桟切欠片１２ｆがファスナー２と当接することで、縦桟１２からのファスナー２の脱落を防止することができる。
【００８２】
縦桟突条部１２ｄは、縦桟側壁部１２ｂの内面のうち縦桟上壁部１２ｃよりも下方となる部位から内側へ突出した後、さらに上側へ突出するＬ字状の部位である。２つの縦桟突条部１２ｄの間には、隙間が設けられている。縦桟突条部１２ｄと縦桟上壁部１２ｃとの間には、隙間が設けられている。縦桟突条部１２ｄは、ファスナー２を傾斜方向に沿って移動可能に支持する。
【００８３】
ファスナー２は、縦桟上壁部１２ｃと縦桟突条部１２ｄとの間に差し込まれている。ファスナー２が縦桟上壁部１２ｃと縦桟突条部１２ｄとの間に差し込まれた状態で、肉厚部２ｃは２つの縦桟上壁部１２ｃの間の隙間に配置される。差込部２ｂは、縦桟上壁部１２ｃと縦桟突条部１２ｄとの間に配置される。差込部２ｂは、縦桟突条部１２ｄによって支持される。
【００８４】
図１０に示すように、モジュール固定金具４は、縦桟１２の上に配置され、太陽電池モジュール３、軒カバー５および棟カバー６を縦桟１２に固定するための部材である。つまり、太陽電池モジュール３、軒カバー５および棟カバー６は、モジュール固定金具４と縦桟１２と屋根取付金具１１を介して傾斜屋根３００に固定されている。モジュール固定金具４は、上方から見た場合に縦桟１２と交差している。
【００８５】
モジュール底壁部４ａは、縦桟上壁部１２ｃおよび肉厚部２ｃの上に配置されている。本実施の形態ではモジュール固定金具４とファスナー２とをボルト９で固定することで、モジュール固定金具４は縦桟１２に固定されている。つまり、モジュール固定金具４は、ファスナー２を介して縦桟１２に固定されている。太陽電池モジュール３、軒カバー５および棟カバー６は、押え部４ｃと縦桟上壁部１２ｃとの間に挟み込まれている。軒カバー底壁部５ｃは、縦桟１２の傾斜方向に沿った軒側の端部よりも軒側に張り出している。斜壁部５ｂは、軒カバー本体部５ａよりも下方に延びて縦桟１２の傾斜方向に沿った軒側の端部を覆っている。
【００８６】
次に、遮光システム２００Ａについて説明する。
【００８７】
図１２は、実施の形態２に係る遮光システムを示す図であって、屋根取付金具に遮光金具を取り付けた状態を示す斜視図である。遮光システム２００Ａは、太陽電池モジュール３の撤去後に傾斜屋根３００の上に残された屋根取付金具１１を遮光するためのシステムである。遮光システム２００Ａは、屋根取付金具１１と、遮光金具１７と、を備える。屋根取付金具１１は、太陽光発電システム１００と遮光システム２００Ａとで共用される。遮光金具１７は、傾斜屋根３００の上に取り付けられる屋根取付金具１１に固定可能な部材である。
【００８８】
図１３は、実施の形態２に係る遮光金具を示す斜視図である。遮光金具１７は、取付部１８と、２つの庇部１９と、２つの連結部２０と、雪止め部２１と、傾斜壁部２２と、を備える。
【００８９】
取付部１８は、桁方向に沿って延びる板状の部位である。取付部１８は、平面視矩形状に形成されている。取付部１８には、上下方向に貫通する孔１８ａが形成されている。
【００９０】
連結部２０は、取付部１８と庇部１９とを連結する部位である。２つの連結部２０は、取付部１８の傾斜方向に沿った両端部から傾斜屋根３００に向かって延びている。２つの連結部２０は、傾斜方向に隙間を空けて対向している。２つの連結部２０を区別する場合には、取付部１８の傾斜方向に沿った棟側の端部から傾斜屋根３００に向かって延びる連結部２０を第１連結部２０Ａと称し、取付部１８の傾斜方向に沿った軒側の端部から傾斜屋根３００に向かって延びる連結部２０を第２連結部２０Ｂと称する。
【００９１】
庇部１９は、桁方向に沿って延びる板状の部位である。庇部１９は、平面視矩形状に形成されている。２つの庇部１９を区別する場合には、第１連結部２０Ａの下端から棟側に向かって延びる庇部１９を第１庇部１９Ａと称し、第２連結部２０Ｂの下端から軒側に向かって延びる庇部１９を第２庇部１９Ｂと称する。庇部１９は、取付部１８よりも低い位置に配置されている。
【００９２】
雪止め部２１は、取付部１８と第２連結部２０Ｂとの境界から上方に向かって延びて、取付部１８よりも上方に突出する部位である。雪止め部２１の面内方向は、傾斜方向と一致している。雪止め部２１は、傾斜屋根３００の上に堆積した雪が滑り落ちるのを防ぐ役割を果たす。
【００９３】
傾斜壁部２２は、雪止め部２１の上端と第２庇部１９Ｂの傾斜方向に沿った軒側の端部とを連結する部位である。傾斜壁部２２は、雪止め部２１の上端から第２庇部１９Ｂの傾斜方向に沿った軒側の端部に向かうほど軒側に位置するように傾斜している。遮光金具１７を桁方向から見たときに、縦壁部である雪止め部２１および第２連結部２０Ｂと、第２庇部１９Ｂと、傾斜壁部２２とで成す形状は三角枠形状である。雪止め部２１、第２連結部２０Ｂ、第２庇部１９Ｂおよび傾斜壁部２２は、傾斜方向に沿って切った縦断面で閉断面構造を構成する。
【００９４】
図１２に示すように、遮光金具１７は、屋根取付金具１１の上に設置されている。取付部１８は、２つの屋根取付上壁部１１ｃの上に架け渡されている。図１４は、図１２のＸＩＶ−ＸＩＶ線断面図である。取付部１８の孔１８ａおよび２つの屋根取付上壁部１１ｃの間の隙間には、遮光金具１７を屋根取付金具１１に固定するボルト１５が挿入されている。本実施の形態では屋根取付上壁部１１ｃの間の隙間および遮光金具１７の孔１８ａに下方からボルト１５を通し、遮光金具１７の孔１８ａから上方に突出したボルト１５の軸部にナット１６を締め付けることで、遮光金具１７は屋根取付金具１１に固定されている。ボルト１５とナット１６との間には、屋根取付上壁部１１ｃおよび取付部１８が挟み込まれている。
【００９５】
第１庇部１９Ａは、第１フランジ１１ｅを傾斜屋根３００に固定するねじ１３を覆っている。第２庇部１９Ｂは、第２フランジ１１ｆを傾斜屋根３００に固定するねじ１３を覆っている。庇部１９は、ねじ１３の頭部に設けたコーキング材１４の上方に隙間を空けて配置されている。庇部１９は、コーキング材１４に直射日光および雨水が直接当たるのを抑制する役割を果たす。
【００９６】
連結部２０は、屋根取付側壁部１１ｂに沿って配置されている。第２連結部２０Ｂ、雪止め部２１、第２庇部１９Ｂおよび傾斜壁部２２は、第２フランジ１１ｆの直上に配置されている。雪止め部２１は、屋根取付上壁部１１ｃよりも上方に突出している。雪止め部２１は、ボルト１５の一部およびナット１６を軒側から覆っている。傾斜壁部２２は、雪止め部２１および第２庇部１９Ｂを軒側から覆って遮光金具１７の意匠性を高める役割を果たすとともに、雪止め部２１を支持する役割も果たす。
【００９７】
次に、遮光システム２００Ａの施工方法について説明する。
【００９８】
遮光システム２００Ａは、太陽電池モジュール取外工程と、遮光金具固定工程と、を備える。太陽電池モジュール取外工程は、図１０に示す傾斜屋根３００の上にねじ１３で固定された屋根取付金具１１から太陽電池モジュール３を取り外す工程である。太陽電池モジュール取外工程では、まずボルト９を外し、モジュール固定金具４、太陽電池モジュール３、軒カバー５、棟カバー６を傾斜屋根３００の上から撤去する。続いて、ボルト１５を外し、縦桟１２およびファスナー２を屋根取付金具１１の上から撤去し、屋根取付金具１１を傾斜屋根３００の上に残す。
【００９９】
図１２に示すように、遮光金具固定工程は、太陽電池モジュール３が取り外された屋根取付金具１１に遮光金具１７を固定する工程である。遮光金具固定工程では、図１４に示すように、ボルト１５およびナット１６で取付部１８を屋根取付金具１１に取り付けるとともに、庇部１９でコーキング材１４を覆う。これにより、遮光金具１７は、屋根取付金具１１に固定される。以上により遮光システム２００Ａが構築される。
【０１００】
実施の形態２によっても、実施の形態１と同様の作用効果を奏することができる。また、実施の形態２では、遮光金具１７を桁方向から見たときに、雪止め部２１と第２連結部２０Ｂと第２庇部１９Ｂと傾斜壁部２２とで成す形状が三角枠形状であるため、遮光金具１７の美観を高めて建物の意匠性を向上させることができる。また、雪止め部２１、第２連結部２０Ｂ、第２庇部１９Ｂおよび傾斜壁部２２は、傾斜方向に沿って切った縦断面で閉断面構造を構成するため、積雪荷重に対する雪止め部２１の強度を高めることができる。
【０１０１】
なお、例えば、傾斜方向に間隔を空けて大きな段差がある金属横葺き屋根材などでは、実施の形態１のような傾斜方向に沿って延びる屋根取付金具１を用いると、屋根取付金具１と段差とが干渉してしまい、傾斜屋根３００の上に固定できない場合がある。これに対して、実施の形態２では、図８に示すように、桁方向に沿って延びる屋根取付金具１１を用いることで、屋根取付金具１１と段差との干渉を回避することができる。また、屋根取付金具１１の上に縦桟１２を設置することで、段差よりも上方に縦桟１２を配置できるため、縦桟１２と段差との干渉も回避することができる。つまり、実施の形態２によれば、段差を躱して屋根取付金具１１および縦桟１２を傾斜屋根３００の上に容易に取り付けることができる。このような屋根取付金具１１および縦桟１２は、例えば、スレート屋根材、金属立平葺屋根材などに使用しても差し支えない。
【０１０２】
実施の形態３．
実施の形態３に係る遮光金具および遮光システムについて説明する。実施の形態３に係る太陽光発電システムは実施の形態１に係る太陽光発電システム１００と同様であるため、その説明を省略する。図１５は、本発明の実施の形態３に係る遮光システムを示す図であって、屋根取付金具およびファスナーに遮光金具を取り付けた状態を示す斜視図である。実施の形態３に係る遮光システム２００Ｂは、遮光金具２３の構成が前記した実施の形態１と相違する。実施の形態３では、前記した実施の形態１と重複する部分については、同一符号を付して説明を省略する。
【０１０３】
遮光システム２００Ａは、太陽電池モジュール３の撤去後に傾斜屋根３００の上に残された屋根取付金具１を遮光するためのシステムである。遮光システム２００Ｂは、屋根取付金具１と、ファスナー２と、遮光金具２３と、を備える。屋根取付金具１およびファスナー２は、実施の形態１と同様であるため、その説明を省略する。
【０１０４】
遮光金具２３は、傾斜屋根３００の上に取り付けられる屋根取付金具１に固定可能な部材である。図１６は、実施の形態３に係る遮光金具を示す斜視図である。図１６では、説明容易化のために傾斜屋根３００を示している。遮光金具２３は、取付部２３ａと、庇部２３ｂと、雨避け部２３ｃと、縦壁部２３ｄと、を備える。取付部２３ａおよび庇部２３ｂは、連続する１つの壁であるが、実施の形態３では１つの壁を取付部２３ａ、庇部２３ｂに分けて説明する。なお、取付部２３ａおよび庇部２３ｂにおいて、最も棟側に位置する端部を「棟側の端部」と称するとともに最も軒側に位置する端部を「軒側の端部」と称する。図１６には、取付部２３ａと庇部２３ｂとの境界線２３ｇを模式的に示している。
【０１０５】
取付部２３ａは、縦壁部２３ｄの棟側を向く面から棟側に向かって延びる板状の部位である。取付部２３ａは、傾斜方向に沿って延びている。取付部２３ａは、平面視矩形状に形成されている。取付部２３ａには、上下方向に貫通する孔２３ｈが形成されている。
【０１０６】
庇部２３ｂは、傾斜方向に沿って延びる板状の部位である。庇部２３ｂは、取付部２３ａの傾斜方向に沿った棟側の端部から棟側に向かって延びている。庇部２３ｂは、平面視矩形状に形成されている。
【０１０７】
雨避け部２３ｃは、庇部２３ｂの傾斜方向に沿った棟側の端部から傾斜屋根３００に向かって延びる板状の部位である。雨避け部２３ｃの傾斜方向から見たときの形状は、矩形状である。
【０１０８】
縦壁部２３ｄは、取付部２３ａの傾斜方向に沿った軒側の端部に連続し、上下方向に沿って延びる板状の部位である。縦壁部２３ｄの傾斜方向から見たときの形状は、矩形状である。縦壁部２３ｄの面内方向は、傾斜方向と一致している。縦壁部２３ｄは、連続する１つの壁であるが、実施の形態３では機能面から縦壁部２３ｄを雪止め部２３ｅ、意匠部２３ｆに分けて説明する。なお、雪止め部２３ｅおよび意匠部２３ｆにおいて、最も上側に位置する端部を「上端」と称するとともに最も下側に位置する端部を「下端」と称する。
【０１０９】
雪止め部２３ｅは、取付部２３ａよりも上方に突出する部位である。雪止め部２３ｅは、傾斜屋根３００の上に堆積した雪が滑り落ちるのを防ぐ役割を果たす。意匠部２３ｆは、雪止め部２３ｅと取付部２３ａとの境界から下方に向かって延びて、取付部２３ａおよび庇部２３ｂよりも下方に突出する部位である。
【０１１０】
図１７は、図１５のＸＶＩＩ−ＸＶＩＩ線断面図である。図１７に示すように、遮光金具２３は、屋根取付金具１の上に設置されている。取付部２３ａおよび庇部２３ｂは、２つの屋根取付上壁部１ｃの上に架け渡されている。取付部２３ａの孔２３ｈおよびファスナー横壁部２ａの孔２ｄには、遮光金具２３をファスナー２に固定するボルト２６が挿入されている。本実施の形態では遮光金具２３の孔２３ｈに通したボルト２６をファスナー２の孔２ｄにねじ込むことで、遮光金具２３は屋根取付金具１に固定されている。つまり、遮光金具２３は、ファスナー２を介して屋根取付金具１に固定されている。
【０１１１】
庇部２３ｂは、ねじ２４を覆っている。庇部２３ｂは、ねじ２４の頭部に設けたコーキング材２５の上方に隙間を空けて配置されている。庇部２３ｂは、コーキング材２５に直射日光および雨水が直接当たるのを抑制する役割を果たす。
【０１１２】
雨避け部２３ｃは、屋根取付金具１の傾斜方向に沿った棟側の端部の開口を覆っている。雨避け部２３ｃは、屋根取付底壁部１ａの上面よりも下方に延びている。雨避け部２３ｃは、傾斜屋根３００の上を流下する雨水がコーキング材２５に達するのを抑制する役割を果たす。
【０１１３】
縦壁部２３ｄは、屋根取付金具１よりも軒側に配置されており、屋根取付金具１の傾斜方向に沿った軒側の端部を覆っている。縦壁部２３ｄは、傾斜屋根３００と垂直である。雪止め部２３ｅは、屋根取付上壁部１ｃよりも上方に突出している。意匠部２３ｆは、屋根取付金具１の傾斜方向に沿った軒側の端部のうち庇部２３ｂよりも下方部位を覆っている。意匠部２３ｆの下端は、屋根取付底壁部１ａよりも上方に配置されている。
【０１１４】
次に、遮光システム２００Ｂの施工方法について説明する。
【０１１５】
遮光システム２００Ｂは、太陽電池モジュール取外工程と、遮光金具固定工程と、を備える。太陽電池モジュール取外工程は、実施の形態１と同様であるため、その説明を省略する。
【０１１６】
図１７に示すように、遮光金具固定工程は、太陽電池モジュール３が取り外された屋根取付金具１に遮光金具２３を固定する工程である。遮光金具固定工程では、ボルト２６で取付部２３ａをファスナー２に取り付けるとともに、庇部２３ｂでコーキング材２５を覆う。これにより、遮光金具２３は、ファスナー２を介して屋根取付金具１に固定される。以上により遮光システム２００Ｂが構築される。
【０１１７】
実施の形態３によっても、実施の形態１と同様の作用効果を奏することができる。また、実施の形態３では、遮光金具２３が雨避け部２３ｃを備え、雨避け部２３ｃが屋根取付金具１の傾斜方向に沿った棟側の端部の開口を覆っている。このため、傾斜屋根３００の上を流下する雨水がコーキング材２５に達するのを雨避け部２３ｃによって抑制することができる。
【０１１８】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【０１１９】
例えば、実施の形態１から３では、屋根取付金具と遮光金具をボルトで固定する場合を例示したが、例えば、ボルトに代えてタッピングビスなどを用いてもよい。
【０１２０】
実施の形態１から３では、遮光金具が雪止め部を備える場合を例示したが、例えば、積雪のない地域、積雪の少ない地域などで遮光金具を使用する場合には、遮光金具から雪止め部を無くしてもよい。つまり、本発明の遮光金具において雪止め部は必須の構成ではない。
【符号の説明】
【０１２１】
１  屋根取付金具、１ａ  屋根取付底壁部、１ｅ  孔、２  ファスナー、３  太陽電池モジュール、４  モジュール固定金具、５  軒カバー、６  棟カバー、７  ねじ（固定部材）、８  コーキング材、９  ボルト、１０  遮光金具、１０ａ  取付部、１０ｂ  庇部、１０ｃ  縦壁部、１０ｄ  連結部、１０ｅ  雪止め部、１０ｆ  意匠部、１０ｇ  孔、１１  屋根取付金具、１１ａ  屋根取付底壁部、１１ｇ  孔、１２  縦桟、１３  ねじ（固定部材）、１４  コーキング材、１５  ボルト、１６  ナット、１７  遮光金具、１８  取付部、１８ａ  孔、１９  庇部、１９Ａ  第１庇部、１９Ｂ  第２庇部、２０  連結部、２０Ａ  第１連結部、２０Ｂ  第２連結部、２１  雪止め部、２２  傾斜壁部、２３  遮光金具、２３ａ  取付部、２３ｂ  庇部、２３ｃ  雨避け部、２３ｄ  縦壁部、２３ｅ  雪止め部、２３ｆ  意匠部、２３ｈ  孔、２４  ねじ（固定部材）、２５  コーキング材、２６  ボルト、１００，１００Ａ  太陽光発電システム、２００，２００Ａ，２００Ｂ  遮光システム、３００  傾斜屋根。
【図１】
2020094409.tif 000003
【図２】
2020094409.tif 000004
【図３】
2020094409.tif 000005
【図４】
2020094409.tif 000006
【図５】
2020094409.tif 000007
【図６】
2020094409.tif 000008
【図７】
2020094409.tif 000009
【図８】
2020094409.tif 000010
【図９】
2020094409.tif 000011
【図１０】
2020094409.tif 000012
【図１１】
2020094409.tif 000013
【図１２】
2020094409.tif 000014
【図１３】
2020094409.tif 000015
【図１４】
2020094409.tif 000016
【図１５】
2020094409.tif 000017
【図１６】
2020094409.tif 000018
【図１７】
2020094409.tif 000019